【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
カウンタに搭載するために構成されるキオスクであって、前記カウンタは、水平表面を有する第１の部分と、略垂直構成要素を有する第２の部分とを含むタイプであり、前記キオスクは、
第１の略長方形区画であって、前記水平表面の上方に延在し、前記第１の区画の正面表面上の略平面タッチスクリーンディスプレイと、前記第１の区画の背面表面上に配置されるアクセスパネルと、前記タッチスクリーンを使用して選択されたアイテムのための支払を処理するように構成される支払モジュールとを含む、第１の区画と、
前記第１の区画から下向きに延在する第２の略長方形区画と
を備え、
前記第１の区画の正面表面は、１０〜８０度の範囲内において前記カウンタの水平表面に対して第１の角度で傾斜され、
前記水平表面の少なくとも一部は、前記第１の区画と前記第２の区画との間に配置される、キオスク。
【請求項２】
前記キオスクの正面側に接続される電子構成要素を含むサブシャーシをさらに備え、
前記電子構成要素は、前記サブシャーシが閉鎖位置にあるとき、底部領域内に配置される、請求項１に記載のキオスク。
【請求項３】
前記第１の区画は、裏面表面をさらに備え、前記第１の区画の正面表面および裏面表面は、略平行である、請求項１に記載のキオスク。
【請求項４】
前記キオスクの周界の周囲に延在する連続円周方向リングをさらに備える、請求項１に記載のキオスク。
【請求項５】
前記カウンタは、その中に形成される起伏を備え、前記キオスクの少なくとも一部は、前記起伏内に着座される、請求項１に記載のキオスク。
【請求項６】
前記第１の区画は、前記カウンタに搭載される、請求項１に記載のキオスク。
【請求項７】
前記第２の区画は、前記カウンタに搭載される、請求項１に記載のキオスク。
【請求項８】
前記第１の区画は、前記第２の区画に接続される、請求項１に記載のキオスク。
【請求項９】
前記第１の区画は、前記カウンタの水平表面に係合するように構成される平坦な水平底部部分を含む、請求項１に記載のキオスク。
【請求項１０】
前記カウンタは、カウンタ辺縁の第２の部分から張り出した軒天を備え、前記キオスクは、前記軒天の一部を受容するように構成される陥凹を備える、請求項１に記載のキオスク。
【手続補正２】
【補正対象書類名】明細書
【補正対象項目名】０００６
【補正方法】変更
【補正の内容】
【０００６】
本発明の種々の他の実施形態、側面、および特徴は、以下により詳細に説明される。付加的特徴および特性は、付随の図面ならびに本背景セクションと関連して検討される、後続の発明を実施するための形態および添付の請求項から明白となるであろう。
本発明は、例えば、以下を提供する。
（項目１）
ディスプレイと、ユーザ双方向構成要素の一部をその中に収納するように構成される、シャーシとを含むタイプのキオスクを保守する方法であって、
第１の構成要素ドアを前記シャーシから除去するステップであって、前記第１の構成要素ドアは、第１のユーザ双方向構成要素を収容するように適合される第１の構成を有する、ステップと、
前記第１のユーザ双方向構成要素を除去するステップと、
前記第１のユーザ双方向構成要素と第２のユーザ双方向構成要素を交換するステップと、
第２の構成要素ドアを前記シャーシ上に据え付けるステップであって、前記第２の構成要素ドアは、前記第２のユーザ双方向構成要素を収容するように適合される第２の構成を有する、ステップと、
を含む、方法。
（項目２）
前記第１および第２のユーザ双方向構成要素は、同一機能を行うが、サイズ、形状、および前記シャーシ内の場所のうちの少なくとも１つにおいて異なる、項目１に記載の方法。
（項目３）
前記第１および第２のユーザ双方向構成要素はそれぞれ、プリンタ、キーパッド、スキャナ、および支払モジュールのうちの１つを備える、項目１に記載の方法。
（項目４）
キオスクにおいて使用するためのサブシャーシであって、
ディスプレイ周界によって特徴付けられるディスプレイを収納するように構成されるフレームと、
前記ディスプレイ周界に対応する開口部を有する略平面面板と、
を備え、
前記面板は、前記ディスプレイが前記開口部を通して可視であるように、前記フレーム上に載置されるように構成される、サブシャーシ。
（項目５）
前記フレームおよび前記面板は、前記面板が前記フレーム上に載置されると、継目を形成し、前記サブシャーシはさらに、
前記サブシャーシに固着され、前記継目に沿って延在する、ブレードを備える、項目４に記載のサブシャーシ。
（項目６）
前記ブレードは、前記フレームおよび前記面板の個別の側縁を包囲する内向きに面したＣ−チャネルを備える、項目４に記載のサブシャーシ。
（項目７）
前記フレームはさらに、少なくとも２つの異なるディスプレイサイズを前記開口部の中に選択的に固着するように構成される、ブラケットアセンブリを備える、項目４に記載のサブシャーシ。
（項目８）
キオスクシャーシであって、
第１および第２の反対に配置され、垂直に延在するＵ−チャネル側部材と、
前記第１の側部材と第２の側部材との間に配置される、上部領域、中央領域、および底部領域と、
前記中央領域内に配置され、前記第１の側部材と第２の側部材との間に延在する、筋交ブレースであって、前記筋交ブレースは、ともに固着される２つの交差部材を備える、筋交ブレースと、
を備える、キオスクシャーシ。
（項目９）
前記上部領域内に配置される、ディスプレイと、
前記２つの交差部材間において前記中央領域内に配置される、電力供給源と、
をさらに備える、項目８に記載のキオスクシャーシ。
（項目１０）
第１および第２のテーパ状管状補強部材をさらに備え、前記第１および第２のテーパ状管状補強部材は、それぞれ、前記第１および第２の側部材に固着され、前記底部領域内に配置される、項目８に記載のキオスクシャーシ。
（項目１１）
カウンタに搭載するために構成されるキオスクであって、前記カウンタは、水平表面を有する第１の部分と、略垂直構成要素を有する第２の部分とを含むタイプであり、前記キオスクは、
第１の略長方形区画であって、前記水平表面の上方に延在し、前記第１の区画の正面表面上の略平面タッチスクリーンディスプレイ、前記第１の区画の背面表面上に配置されるアクセスパネル、および前記タッチスクリーンを使用して選択されたアイテムのための支払を処理するように構成される支払モジュールを含む、第１の区画と、
前記第１の区画から下向きに延在する第２の略長方形区画と、
を備え、
前記第１の区画の正面表面は、１０〜８０度の範囲内において前記カウンタの水平表面に対して第１の角度で傾斜され、
前記水平表面の少なくとも一部は、前記第１の区画と前記第２の区画との間に配置される、
キオスク。
（項目１２）
前記キオスクシャーシの正面側に接続される電子構成要素を含むサブシャーシをさらに備え、
前記電子構成要素は、前記サブシャーシが閉鎖位置にあるとき、前記底部領域内に配置される、項目１１に記載のキオスクシャーシ。
（項目１３）
前記第１の区画はさらに、裏面表面を備え、前記第１の区画の正面表面および裏面表面は、略平行である、項目１１に記載のキオスク。
（項目１４）
前記キオスクの周界の周囲に延在する、連続円周方向リングをさらに備える、項目１１に記載のキオスク。
（項目１５）
前記カウンタは、その中に形成される起伏を備え、前記キオスクの少なくとも一部は、前記起伏内に着座される、項目１１に記載のキオスク。
（項目１６）
前記第１の区画は、前記カウンタに搭載される、項目１１に記載のキオスク。
（項目１７）
前記第２の区画は、前記カウンタに搭載される、項目１１に記載のキオスク。
（項目１８）
前記第１の区画は、前記第２の区画に接続される、項目１１に記載のキオスク。
（項目１９）
前記第１の区画は、前記カウンタの水平表面に係合するように構成される、平坦な水平底部部分を含む、項目１１に記載のキオスク。
（項目２０）
前記カウンタは、前記カウンタ辺縁の第２の部分から張り出した軒天を備え、前記キオスクは、前記軒天の一部を受容するように構成される、陥凹を備える、項目１１に記載のキオスク。